(57)【要約】【課題】電話中に送信されるオーディオ信号の質を改善する方法を提供すること。【解決手段】近端ターミナルと遠端ターミナルとの間の通信経路上において交換される信号を処理する方法は、通信経路の１つ以上の特徴を識別すること（４０２）と、該識別された特徴に基づいて、該近端ターミナルに対して処理特徴を選択すること（４０６）とを包含する。１つ以上の特徴を識別することが、近端ターミナルの、近端ターミナルに関連する近端コーデックの、近端ネットワークの、遠端ターミナルの、遠端ターミナルに関連する遠端コーデックの、および遠端ネットワークの、処理特徴を検出することを含む。近端ネットワークは、近端ターミナルへ、または近端ターミナルから通信信号を提供し、遠端ネットワークは、遠端ターミナルへ、または遠端ターミナルから通信信号を提供する。【選択図】図４
2007037116.tif 000002
【特許請求の範囲】
【請求項１】
近端ターミナルと遠端ターミナルとの間の通信経路上において交換される信号を処理する方法であって、該方法は、
該通信経路の１つ以上の特徴を識別することと、
該識別された特徴に基づいて、該近端ターミナルに対して処理特徴を選択することと
を包含する、方法。
【請求項２】
１つ以上の特徴を識別することが、前記近端ターミナルの、該近端ターミナルに関連する近端コーデックの、近端ネットワークの、前記遠端ターミナルの、該遠端ターミナルに関連する遠端コーデックの、および遠端ネットワークの、処理特徴を検出することを包含し、該近端ネットワークは、該近端ターミナルへ、または該近端ターミナルから通信信号を提供し、該遠端ネットワークは、該遠端ターミナルへ、または該遠端ターミナルから通信信号を提供する、請求項１に記載の方法。
【請求項３】
前記近端ターミナルの、前記遠端ターミナルの、前記近端ネットワークの、および前記遠端ネットワークの、処理特徴を検出することが、ノイズ低減およびノイズ消去のうちの少なくとも１つを検出することを包含する、請求項２に記載の方法。
【請求項４】
前記近端ネットワークおよび前記遠端ネットワークの処理特徴を検出することが、該近端ネットワークまたは該遠端ネットワークのノイズゲーティング、およびビットレートのうちの少なくとも１つを検出することを包含する、請求項２に記載の方法。
【請求項５】
前記遠端ネットワークの処理特徴を検出することが、前記近端ターミナルにおいて受信される入って来る信号からの遠側エコーの除去以前に、該遠側エコーの特徴を分析することを包含する、請求項２に記載の方法。
【請求項６】
１つ以上の特徴を識別することが、
前記通信経路上の双方向信号の全二重オペレーションより低いものを検出することと、
前記遠端ターミナルにある入力信号の概算を行い、前記近端ターミナルにおいて受信される入って来る信号と、該入力信号の該概算とを比較することと、
該通信経路の該特徴に関する情報にアクセスするために、該近端ターミナルおよび該遠端ターミナルのうちの少なくとも１つの技術モードを用いることと
のうちの少なくとも１つを包含する、請求項１に記載の方法。
【請求項７】
前記通信経路は、基地局および携帯電話スイッチングオフィスを備え、
該方法は、前記遠端ターミナル、該基地局、および該携帯電話スイッチングオフィスのうちの少なくとも１つから、該通信経路に関する情報を受信することを含み、該処理特徴の選択が、受信された情報および識別された特徴に基づく、請求項１に記載の方法。
【請求項８】
前記受信された情報が、
前記遠端ターミナルおよび前記近端ターミナルのうちの少なくとも１つの処理特徴に関する情報と、
遠端コーデックおよび近端コーデックのうちの少なくとも１つの処理特徴に関する情報と、
近端ネットワークのタイプ、近端ネットワークのネットワークＩＤ、および近端ネットワークの電界強度のうちの少なくとも１つに関する情報であって、該近端ネットワークは、該近端ターミナルへ、および該近端ターミナルから通信信号を提供する、情報と、
遠端ネットワークのタイプ、遠端ネットワークのネットワークＩＤ、および遠端ネットワークの電界強度のうちの少なくとも１つに関する情報であって、該遠端ネットワークは、該遠端ターミナルへ、および該遠端ターミナルから、通信信号を提供する、情報と
のうちの少なくとも１つを包含する、請求項７に記載の方法。
【請求項９】
前記遠端ターミナルへ前記識別された特徴に関する情報を提供することと、
提供された情報に基づいて、該遠端ターミナルに対して処理特徴を選択することと
を包含する、請求項１に記載の方法。
【請求項１０】
前記提供された情報が、
前記近端ターミナル、近端コーデック、前記遠端ターミナル、および遠端コーデックのうちの少なくとも１つの処理特徴に関する情報と、
近端ネットワークのタイプ、近端ネットワークのネットワークＩＤ、および近端ネットワークの電界強度のうちの少なくとも１つに関する情報であって、該近端ネットワークは、該近端ターミナルへ、および該近端ターミナルから、通信信号を提供する、情報と、
遠端ネットワークのタイプ、遠端ネットワークのネットワークＩＤ、および遠端ネットワークの電界強度のうちの少なくとも１つに関する情報であって、該遠端ネットワークは、該遠端ターミナルへ、および該遠端ターミナルから、通信信号を提供する、情報と
のうちの少なくとも１つを包含する、請求項９に記載の方法。
【請求項１１】
前記近端ターミナルに対して処理特徴を選択することが、該近端ターミナルに対して所定のオペレーションモードを選択することを包含する、請求項１に記載の方法。
【請求項１２】
前記近端ターミナルに対して所定のオペレーションモードを選択することが、前記識別された特徴に最も類似する特徴を有する既知の遠側構成に対応する複数の所定のオペレーションモードのうちの１つを選択することを包含する、請求項１１に記載の方法。
【請求項１３】
前記近端ターミナルに対して処理特徴を選択することが、前記通信経路の前記特徴のリアルタイムクエリに基づいて、前記所定のオペレーションモードの適応を包含する、請求項１１に記載の方法。
【請求項１４】
前記所定のオペレーションモードの適応が、
時間の所定の長さよりも長い間低下された前記ビットレートを決定する際、ＣＤＭＡネットワークのビットレートの前記リアルタイムクエリに基づく、前記近端ターミナルのノイズ低減処理特徴またはノイズ消去処理特徴の適応と、
近端ネットワークおよび遠端ネットワークにおいてノイズゲーティングを識別する際、該近端ターミナルの前記処理特徴と作用し合うノイズゲーティングの影響を低減すること、または除去することであって、該近端ネットワークは、該近端ターミナルへ、および該近端ターミナルから通信信号を提供し、該遠端ネットワークは、該遠端ターミナルへ、および該遠端ターミナルから、通信信号を提供する、ことと、
該近端ターミナル、該遠端ターミナル、近端ネットワーク、および遠端ネットワークのうちの少なくとも１つにおいて、相当量のノイズ低減またはノイズ消去の検出の際における、該近端ターミナルのノイズ低減処理特徴またはノイズ消去処理特徴の適応であって、該近端ネットワークは、該近端ターミナルへ、および該近端ターミナルから通信信号を提供し、該遠端ネットワークは、該遠端ターミナルへ、および該遠端ターミナルから、通信信号を提供する、適応と
のうちの少なくとも１つを包含する、請求項１３に記載の方法。
【請求項１５】
前記近端ターミナルのノイズ低減処理特徴またはノイズ消去処理特徴の適応が、
ノイズ低減またはノイズ消去を伴なう処理を提供するための、様々な信号処理アルゴリズムの適応修正と、
通信経路と共に使用されるように構成されるものに対する様々な信号処理アルゴリズムの修正であって、該通信経路において、ノイズ低減またはノイズ消去が該近端ターミナルを超えて行われる、修正と
のうちの１つを包含する、請求項１４に記載の方法。
【請求項１６】
修正されたアルゴリズムが、前記近端ターミナルにおける、前記ノイズ低減を減少すること、または前記ノイズ消去を減少することを包含する、請求項１５に記載の方法。
【請求項１７】
通信信号にエネルギーを加えることを包含する、請求項１４に記載の方法。
【請求項１８】
前記近端ネットワークおよび遠端ネットワークのうちの少なくとも１つがＣＤＭＡネットワークである場合、該近端ターミナルに対して処理特徴を選択することが、ノイズゲーティングおよびビットレート低下に対して調節するために、処理アルゴリズムを適応して修正することを包含する、請求項８に記載の方法。
【請求項１９】
前記近端ネットワークおよび遠端ネットワークのうちの少なくとも１つがＧＳＭネットワークである場合、該近端ターミナルに対して処理特徴を選択することが、ＧＳＭ人工物を適応して除去することを包含する、請求項８に記載の方法。
【請求項２０】
前記近端ネットワークおよび遠端ネットワークのうちの少なくとも１つのネットワーク識別が、相当量のノイズ低減またはノイズ消去を示すネットワークに対応する場合、該近端ターミナルに対して処理特徴を選択することが、ノイズ低減またはノイズ消去の減少された量を適応することを包含する、請求項８に記載の方法。
【発明の詳細な説明】
【技術分野】
【０００１】
（優先権主張）
本出願は、米国仮出願第６０／７０４，０６５号（代理人整理番号第１１３３６／７３３号（Ｐ０４１２０ＵＳＶ）、２００５年７月２８日出願）の優先権を主張する。その仮出願は本明細書中において援用される。
【０００２】
（技術分野）
本発明は、音響に関し、より詳細には、処理された信号の知覚される質を向上するためのオーディオ信号の処理システムに関する。
【背景技術】
【０００３】
電話のオーディオ品質は、ターミナルに信号を提供するネットワークの特性に加え、それらのターミナル間にある通信経路のどちらかの末端における電話ターミナルの特性に依存し得る。これは、携帯電話ターミナルおよびそれらのサポーティングネットワークに対しても事実である。異なったモバイルネットワークは、電話の質に影響する異なった特性を有し得る。ネットワークの特性は（例えば、ゲイン、スペクトル特徴、歪み、信号の連続性、デュープレキシング特徴）、時間または地理的なものと共に変化し得るため、ネットワークは、異なった位置において異なった特徴を示し得る。さらに、各ネットワークは、電話ターミナルの特定のセット（理想的には、同一のネットワークに位置する）と共に機能し得るため、通信経路を含み得る異なったタイプのネットワークおよび電話ターミナルからの信号の受信の際、ネットワークは異なった特徴を示し得る。
【０００４】
電話中に送信されるオーディオ信号の質を改善するために、電話をサポートし得るターミナルおよびネットワークに関する情報を取得し得、その情報を使用し得、ターミナルおよびネットワークの処理特徴（ｐｒｏｃｅｓｓｉｎｇ  ｃｈａｒａｃｔｅｒｉｓｔｉｃ）を変更し得る、システムの必要性が存在する。
【発明の開示】
【課題を解決するための手段】
【０００５】
システムは、通信経路を渡って近端ターミナルと遠端ターミナルとの間において交換される信号を処理する。そのシステムは、遠距離通信経路の特徴に基づいて、近端ターミナルの処理特徴を選択する。遠距離通信経路は、近端（ｎｅａｒ  ｅｎｄ）ターミナル、遠端（ｆａｒ  ｅｎｄ）ターミナル、およびそれらそれぞれのコーデックおよびネットワークを含み得、それらのネットワークは、近端ターミナルおよび遠端ターミナルへ遠距離通信信号を伝達する。システムは、遠距離通信経路の特徴に基づいて、近端ターミナルの処理特徴を選択し得る。処理特徴を選択することが、所定のオペレーションモードを選択することを含み得る。システムは、遠距離通信経路のリアルタイム分析に基づいて、選択されたオペレーションモードに適応し得る。
【０００６】
本発明は、さらに以下の手段を提供する。
（項目１）  
近端ターミナルと遠端ターミナルとの間の通信経路上において交換される信号を処理する方法であって、該方法は、
該通信経路の１つ以上の特徴を識別することと、
該識別された特徴に基づいて、該近端ターミナルに対して処理特徴を選択することと
を包含する、方法。
（項目２）
１つ以上の特徴を識別することが、上記近端ターミナルの、該近端ターミナルに関連する近端コーデックの、近端ネットワークの、上記遠端ターミナルの、該遠端ターミナルに関連する遠端コーデックの、および遠端ネットワークの、処理特徴を検出することを含み、該近端ネットワークは、該近端ターミナルへ、または該近端ターミナルから通信信号を提供し、該遠端ネットワークは、該遠端ターミナルへ、または該遠端ターミナルから通信信号を提供する、項目１に記載の方法。
（項目３）
上記近端ターミナルの、上記遠端ターミナルの、上記近端ネットワークの、および上記遠端ネットワークの、処理特徴を検出することが、ノイズ低減およびノイズ消去のうちの少なくとも１つを検出することを包含する、項目２に記載の方法。
（項目４）
上記近端ネットワークおよび上記遠端ネットワークの処理特徴を検出することが、該近端ネットワークまたは該遠端ネットワークのノイズゲーティング、およびビットレートのうちの少なくとも１つを検出することを包含する、項目２に記載の方法。
（項目５）
上記遠端ネットワークの処理特徴を検出することが、上記近端ターミナルにおいて受信される入って来る信号からの遠側エコーの除去以前に、該遠側エコーの特徴を分析することを包含する、項目２に記載の方法。
（項目６）
１つ以上の特徴を識別することが、
上記通信経路上の双方向信号の全二重オペレーションより低いものを検出することと、
上記遠端ターミナルにある入力信号の概算を行い、上記近端ターミナルにおいて受信される入って来る信号と、該入力信号の該概算とを比較することと、
該通信経路の該特徴に関する情報にアクセスするために、該近端ターミナルおよび該遠端ターミナルのうちの少なくとも１つの技術モードを用いることと
のうちの少なくとも１つを包含する、項目１に記載の方法。
（項目７）
上記通信経路は、基地局および携帯電話スイッチングオフィスを備え、
該方法は、上記遠端ターミナル、該基地局、および該携帯電話スイッチングオフィスのうちの少なくとも１つから、該通信経路に関する情報を受信することを含み、該処理特徴の選択が、受信された情報および識別された特徴に基づく、項目１に記載の方法。
（項目８）
上記受信された情報が、
上記遠端ターミナルおよび上記近端ターミナルのうちの少なくとも１つの処理特徴に関する情報と、
遠端コーデックおよび近端コーデックのうちの少なくとも１つの処理特徴に関する情報と、
近端ネットワークのタイプ、近端ネットワークのネットワークＩＤ、および近端ネットワークの電界強度のうちの少なくとも１つに関する情報であって、該近端ネットワークは、該近端ターミナルへ、および該近端ターミナルから通信信号を提供する、情報と、
遠端ネットワークのタイプ、遠端ネットワークのネットワークＩＤ、および遠端ネットワークの電界強度のうちの少なくとも１つに関する情報であって、該遠端ネットワークは、該遠端ターミナルへ、および該遠端ターミナルから、通信信号を提供する、情報と
のうちの少なくとも１つを包含する、項目７に記載の方法。
（項目９）
上記遠端ターミナルへ上記識別された特徴に関する情報を提供することと、
提供された情報に基づいて、該遠端ターミナルに対して処理特徴を選択することと
を包含する、項目１に記載の方法。
（項目１０）
上記提供された情報が、
上記近端ターミナル、近端コーデック、上記遠端ターミナル、および遠端コーデックのうちの少なくとも１つの処理特徴に関する情報と、
近端ネットワークのタイプ、近端ネットワークのネットワークＩＤ、および近端ネットワークの電界強度のうちの少なくとも１つに関する情報であって、該近端ネットワークは、該近端ターミナルへ、および該近端ターミナルから、通信信号を提供する、情報と、
遠端ネットワークのタイプ、遠端ネットワークのネットワークＩＤ、および遠端ネットワークの電界強度のうちの少なくとも１つに関する情報であって、該遠端ネットワークは、該遠端ターミナルへ、および該遠端ターミナルから、通信信号を提供する、情報と
のうちの少なくとも１つを包含する、項目９に記載の方法。
（項目１１）
上記近端ターミナルに対して処理特徴を選択することが、該近端ターミナルに対して所定のオペレーションモードを選択することを包含する、項目１に記載の方法。
（項目１２）
上記近端ターミナルに対して所定のオペレーションモードを選択することが、上記識別された特徴に最も類似する特徴を有する既知の遠側構成に対応する複数の所定のオペレーションモードのうちの１つを選択することを包含する、項目１１に記載の方法。
（項目１３）
上記近端ターミナルに対して処理特徴を選択することが、上記通信経路の上記特徴のリアルタイムクエリに基づいて、上記所定のオペレーションモードの適応を包含する、項目１１に記載の方法。
（項目１４）
上記所定のオペレーションモードの適応が、
時間の所定の長さよりも長い間低下された上記ビットレートを決定する際、ＣＤＭＡネットワークのビットレートの上記リアルタイムクエリに基づく、上記近端ターミナルのノイズ低減処理特徴またはノイズ消去処理特徴の適応と、
近端ネットワークおよび遠端ネットワークにおいてノイズゲーティングを識別する際、該近端ターミナルの上記処理特徴と作用し合うノイズゲーティングの影響を低減すること、または除去することであって、該近端ネットワークは、該近端ターミナルへ、および該近端ターミナルから通信信号を提供し、該遠端ネットワークは、該遠端ターミナルへ、および該遠端ターミナルから、通信信号を提供する、ことと、
該近端ターミナル、該遠端ターミナル、近端ネットワーク、および遠端ネットワークのうちの少なくとも１つにおいて、相当量のノイズ低減またはノイズ消去の検出の際における、該近端ターミナルのノイズ低減処理特徴またはノイズ消去処理特徴の適応であって、該近端ネットワークは、該近端ターミナルへ、および該近端ターミナルから通信信号を提供し、該遠端ネットワークは、該遠端ターミナルへ、および該遠端ターミナルから、通信信号を提供する、適応と
のうちの少なくとも１つを包含する、項目１３に記載の方法。
（項目１５）
上記近端ターミナルのノイズ低減処理特徴またはノイズ消去処理特徴の適応が、
ノイズ低減またはノイズ消去を伴なう処理を提供するための、様々な信号処理アルゴリズムの適応修正と、
通信経路と共に使用されるように構成されるものに対する様々な信号処理アルゴリズムの修正であって、該通信経路において、ノイズ低減またはノイズ消去が該近端ターミナルを超えて行われる、修正と
のうちの１つを包含する、項目１４に記載の方法。
（項目１６）
修正されたアルゴリズムが、上記近端ターミナルにおける、上記ノイズ低減を減少すること、または上記ノイズ消去を減少することを包含する、項目１５に記載の方法。
（項目１７）
通信信号にエネルギーを加えることを包含する、項目１４に記載の方法。
（項目１８）
上記近端ネットワークおよび遠端ネットワークのうちの少なくとも１つがＣＤＭＡネットワークである場合、該近端ターミナルに対して処理特徴を選択することが、ノイズゲーティングおよびビットレート低下に対して調節するために、処理アルゴリズムを適応して修正することを包含する、項目８に記載の方法。
（項目１９）
上記近端ネットワークおよび遠端ネットワークのうちの少なくとも１つがＧＳＭネットワークである場合、該近端ターミナルに対して処理特徴を選択することが、ＧＳＭ人工物を適応して除去することを包含する、項目８に記載の方法。
（項目２０）
上記近端ネットワークおよび遠端ネットワークのうちの少なくとも１つのネットワーク識別が、相当量のノイズ低減またはノイズ消去を示すネットワークに対応する場合、該近端ターミナルに対して処理特徴を選択することが、ノイズ低減またはノイズ消去の減少された量を適応することを包含する、項目８に記載の方法。
【０００７】
（摘要）
システムは、通信経路を渡って近端ターミナルと遠端ターミナルとの間において交換される信号を処理する。そのシステムは、遠距離通信経路の特徴に基づいて、近端ターミナルの処理特徴を選択する。遠距離通信経路は、近端ターミナル、遠端ターミナル、およびそれらそれぞれのコーデックおよびネットワークを含み得、それらのネットワークは、近端ターミナルおよび遠端ターミナルへ遠距離通信信号を伝達する。システムは、遠距離通信経路の特徴に基づいて、近端ターミナルの処理特徴を選択し得る。処理特徴を選択することが、所定のオペレーションモードを選択することを含み得る。システムは、遠距離通信経路のリアルタイム分析に基づいて、選択されたオペレーションモードに適応し得る。
【０００８】
本発明の他のシステム、方法、特徴および利点が、添付の図面および後述の詳細な記載の考察の際に、当業者に明確になるであろう。それらの追加的なシステム、方法、特徴、および利点の全てが、本記載に含まれ、本発明の範囲内であり、添付の特許請求の範囲によって保護されることを意図する。
【０００９】
本発明は、添付の図面および後述の記載への参照と共に、より理解され得る。図面の構成要素は、正確に縮尺されている必要性はなく、むしろ、本発明の本質を例示することを強調するためのものである。加えて、図面において、同一の参照番号は、異なった図面を通して対応する部分を示す。
【発明を実施するための最良の形態】
【００１０】
通信経路を通じて近端ターミナルと遠端ターミナルとの間に交換される信号のネットワーク従属処理のためのシステムは、交換される信号の質を改良し得る。一システムは、通信経路の１つ以上の特性に基づいて、近端ターミナルの動作モードを選択する。通信経路は、近端ターミナル、遠端ターミナル、およびそれらのそれぞれのコーデックならびに近端および遠端ターミナルに通信信号を提供するネットワークを含み得る。近端ターミナルは、多数の所定の動作モードを有し得る。システムは、通信経路の識別された特性に基づいて、動作モードの１つを選択し得る。システムは、通信経路のリアルタイム分析に基づいて、選択された動作モードに適応し得る。
【００１１】
図１は、電気通信システム１００を示す。電気通信システム１００は、近端ターミナル１０２および無線または通信経路１１０を介して、遠端ターミナル１０６および遠端コーデック１０８と信号を交換する、近端コーデック１０４を含む。無線または通信経路１１０は、近端ネットワーク１１２および遠端ネットワーク１１４を含み得る。近端ネットワーク１１２は、近端通信信号１１６を介して、近端ターミナル１０２と通信する。遠端ネットワーク１１４は、遠端通信信号１１８を介して、遠端ターミナル１０６と通信する。近端ネットワーク１１２および遠端ネットワーク１１４は、ネットワークインターフェース１２０を介して通信し得る。ネットワークインターフェース１２０は、スイッチされたネットワーク、サテライト通信リンク、無線リンク、陸線（ｌａｎｄｌｉｎｅ）または他の電気通信媒体を含み得る。
【００１２】
近端ターミナル１０２は、テレマティクス装置のようなモバイル通信装置を含み得る。テレマティクス装置は、無線装置またはビークル（ｖｅｈｉｃｌｅ）にインターフェースで接続される電話システムのようなハンズフリー装置を含み得る。近端ターミナル１０２は、近端コーデック１０４および近端通信信号１１６を提供し得る、近端ネットワーク１１２に構成される（集合的に「近側構成」として言及される）標準の動作モードを含み得る。標準の動作モードは、近側構成のｐｒｉｏｒｉ知識に基づいて、カスタマイズされ得る。近側構成は、時間および地理に対して安定し得、または時間および地理に適応され得る。
【００１３】
遠端ターミナル１０６も、テレマティクス装置を含み得る。テレマティクス装置は、モバイル電気通信ような無線装置またはビークルにインターフェースで接続されるハンズフリー電話システムを含み得る。遠端ターミナル１０６は、アナログ陸線装置、デジタル陸線装置、無線陸線装置、アナログ無線装置、デジタル符号分割多元接続（ＣＤＭＡ）無線装置、デジタル時分割多元接続（ＴＤＭＡ）無線装置、デジタルＧｌｏｂａｌ  Ｓｙｓｔｅｍ  ｆｏｒ  Ｍｏｄｕｌｅ  Ｃｏｍｍｕｎｉｃａｔｉｏｎｓ（ＧＳＭ）無線装置、ハンズフリー会議スピーカホン、ハンズフリーデスクトップスピーカホン、コールセンター装置、自動音声認識（ＡＳＲ）システム、およびサーバベースの電話方式アプリケーションを含み得る。遠端ターミナル１０６は、通信経路１１０の特徴を介して、近端ターミナル１０２と信号を交換し得る。遠端ターミナルは、遠端コーデック１０８および遠端通信信号１１８を提供し得る、遠端ネットワーク１１４に適応され得る（集合的に「遠側構成」として言及される）。
【００１４】
図２は、近端ネットワーク１１２が、近端通信信号１１６を近端ターミナル１０２におよび近端ターミナル１０２から提供する、基地局２０２およびＭｏｂｉｌｅ  Ｔｅｌｅｐｈｏｎｅ  Ｓｗｉｔｃｈｉｎｇ  Ｏｆｆｉｃｅ（ＭＴＳＯ）２０４を含む、例示的な電気通信システム２００を示す。ＭＴＳＯ２０４は、１つ以上の他の基地局（図示せず）とともに、基地局２０２を公衆電話交換ネットワーク（ＰＳＴＮ）２０６に接続する。図２の遠端ネットワーク１１４は、同様に、遠端通信信号１１８を遠端ターミナル１０６におよび遠端ターミナル１０６から提供する基地局２０８、および基地局２０８をＰＳＴＮ２０６に接続するＭＴＳＯ２１０を含む。図３は、遠端ターミナル１０６が静止している、他の電気通信システム３００を示す。図３においては、遠端ネットワーク１１４は、遠端ターミナル１０６をＰＳＴＮ２０６に接続する陸線３０２を含む。
【００１５】
図４は、近端ターミナル１０２と遠端ターミナル１０６との間に交換される信号を処理するための方法４００を示す。方法４００は、電話のコールまたは近端ターミナル１０２と遠端ターミナル１０６との間の信号の他の交換が開始された場合、行われ得る。方法４００は、信号の交換の間に生じる近側および／または遠側構成における任意の変更に適応させるために、信号の交換の間にも、定期的に行われ得る。近側および／または遠側構成における変更は、近端ネットワーク１１２および／または遠端ネットワーク１１４におけるトラフィックならびに近端ターミナル１０２および／または遠端ターミナル１０６の地理的位置における変更を含む、多数の理由に対して生じ得る。方法４００は、近端ターミナル１０２において作動しているソフトウェアによって行われ得る。更に、一部の場合において、方法４００は、遠端ターミナル１０６において作動しているソフトウェアを介して、必要に応じて行われ得る。
【００１６】
アクト４０２においては、通信経路１１０の特徴が識別される。通信経路１１０の特徴は、近端コーデック１０４によって、リアルタイムにおいて識別され得る。通信経路１１０の特徴の識別は、例えばおよび限定せずに、
（１）近端ターミナル１０２の処理特徴を検出すること、
（２）遠端ターミナル１０６の処理特徴を検出すること、
（３）近端コーデック１０４の処理特徴を検出すること、
（４）遠端コーデック１０８の処理特徴を検出すること、
（５）近端ネットワーク１１２の特徴を検出すること、
（６）遠端ネットワーク１１４の特徴を検出すること、
（７）近端ネットワーク１１２のビットレートを検出すること、
（８）遠端ネットワーク１１４のビットレートを検出すること、
（９）近端ネットワーク１１２におけるノイズゲーティングを検出すること、
（１０）遠端ネットワーク１１４におけるノイズゲーティングを検出すること、
（１１）近端ネットワーク１１２におけるノイズ低減またはノイズ消去を検出すること、
（１２）遠端ネットワーク１１４におけるノイズ低減またはノイズ消去を検出すること、
（１３）近端ターミナル１０２におけるノイズ低減またはノイズ消去を検出すること、
（１４）遠端ターミナル１０６におけるノイズ低減またはノイズ消去を検出すること、
（１５）近端ターミナル１０２と遠端ターミナル１０６との間の双方向信号の全二重オペレーションより低いもの（ｌｅｓｓ  ｔｈａｎ  ｆｕｌｌ−ｄｕｐｌｅｘ  ｏｐｅｒａｔｉｏｎ）を検出すること、
（１６）遠側エコーが除去される前に、遠側エコー（例、信号がスピーカを介して再生され、次いで同側のマイクロホンによって検出され、反対側へのエコーバックとして結果的に生じた場合、生成される）の特徴を分析すること、および／または、
（１７）所定のネットワーク効果を近似するために、遠端ターミナル１０６において入力信号の近似を生成し、入力信号の近似を、近端ターミナル１０２において実際に受信される、入ってくる信号と比較すること
によって達成され得る。
【００１７】
アクト４０２における通信経路１１０の特徴の識別は、他の方法によっても識別され得る。例えば、近端ターミナル１０２および／または遠端ターミナル１０６のエンジニアリングモードは、通信経路１１０の特徴についての情報にアクセスするために使用され得る。他の実施例として、基地局およびＭＴＳＯを含む電気通信システム（例、図２および図３のシステム２００およびシステム３００のそれぞれ）においては、基地局および／またはＭＴＳＯに、近端ターミナル１０２からのクエリまたはリクエストを受信および応答するためのソフトウェアが提供され得る。そのような場合においては、近端ターミナル１０２は、アクト４０２において通信経路１１０の特徴を識別するために、基地局２０２および／またはＭＴＳＯ２０４にクエリまたはリクエストを送信し得る。他の実施例としては、近端ターミナル１０２は、アクト４０２において通信経路１１０の特徴を識別するために、遠端ターミナル１０６にクエリまたはリクエストを送信し得る。基地局２０２、ＭＴＳＯ２０４、および／または遠端ターミナル１０６から受信される情報は、例えば、
（１）遠端ターミナル１０６の処理特徴、
（２）遠端コーデック１０８の処理特徴、
（３）近端ネットワーク１１２のタイプ（すなわち、ＣＤＭＡ、ＧＳＭ等）、
（４）遠端ネットワーク１１４のタイプ（すなわち、ＣＤＭＡ、ＧＳＭ等）、
（５）近端ネットワーク１１２のネットワークＩＤ、
（６）遠端ネットワーク１１４のネットワークＩＤ、
（７）近端ネットワーク１１２の場の強さ（ｆｉｅｌｄ  ｓｔｒｅｎｇｔｈ）、および／または、
（８）遠端ネットワーク１１４の場の強さ
を含み得る。
【００１８】
方法４００は、オプショナルアクト４０４を含み得、近端ターミナル１０２は、識別される特徴に基づいて、遠端ターミナル１０６に情報を提供し得る。方法４００は、近端ターミナル１０２から提供される情報に基づいて、遠端ターミナル１０６の処理特徴を選択することを含み得る。一部の場合においては、遠端ターミナル１０６は、方法４００を行うために、ソフトウェアまたはファームウェアも含み得る。近端ターミナル１０２は、遠側構成についての情報を受信し得、そのような情報から通信経路１１０の更なる特徴を識別し得る。アクト４０４において、近端ターミナル１０２と遠端ターミナル１０６との間に交換される情報例は、例えば、
（１）近端ターミナル１０２の処理特徴、
（２）遠端ターミナル１０６の処理特徴、
（３）近端コーデック１０４の処理特徴、
（４）遠端コーデック１０８の処理特徴、
（５）近端ネットワーク１１２のタイプ（すなわち、ＣＤＭＡ、ＧＳＭ等）、
（６）遠端ネットワーク１１４のタイプ（すなわち、ＣＤＭＡ、ＧＳＭ等）、
（７）近端ネットワーク１１２のネットワークＩＤ、
（８）遠端ネットワーク１１４のネットワークＩＤ、
（９）近端ネットワーク１１２の場の強さ、および／または
（１０）遠端ネットワーク１１４の場の強さ
を含む。
【００１９】
アクト４０６において、近端ターミナル１０２の処理特徴は、アクト４０２において識別される特徴に基づいて選択される。近端ターミナル１０２に対する複数の所定の動作モードが、提供され得る。各々の所定の動作モードは、周知の遠側構成に対応し得、対応する周知の遠側構成との信号の最適化交換のために構成され得る。アクト４０２において識別される特徴に対して最も適切な所定の動作モードは、アクト４０６において選択され得る。例えば、所定の動作モードを選択することは、アクト４０２において識別される特徴に最も近い特徴を有する、周知の遠側構成に対応する、複数の所定の動作モードの１つを選択することを含み得る。近端ターミナル１０２に対する処理特徴の選択は、通信経路１１０の特徴のリアルタイムリクエストまたはクエリに基づく、所定の動作モードの１つの適応も含み得る。例えば、アクト４０２において、ＣＤＭＡネットワークにて検出されたビットレートが、所定の時間の長さより長く低下し、更に低い信号品質が結果的に生じた場合、アクト４０６は、より良い品質出力（例、より少ない音楽的バックグラウンド）を生成する手段として、より少ないノイズ低減またはノイズ消去を用いる、より複雑ではない処理を提供するために、様々な信号処理アルゴリズムの適応的修正を含み得る。
【００２０】
他の実施例においては、ノイズゲーティングがアクト４０２にて、近端ネットワーク１１２または遠端ネットワーク１１４のどちらかもしくはその両方において識別された場合、アクト４０６は、近端ターミナル１０２の処理特徴と相互作用するノイズゲーティングの効果を減少または除去するための技術を含み得る。そのような一方法は、エネルギーを信号に導入する。
【００２１】
他の実施例においては、かなりのノイズ低減またはノイズ消去が１つ以上の近端ネットワーク１１２、遠端ネットワーク１１４、近端ターミナル１０２、および遠端ターミナル１０６において検出された場合、アクト４０６は、そのようなノイズ低減またはノイズ消去のために最適化された代替のアルゴリズムに対する処理の適応的修正を含み得る。そのような一アルゴリズムは、近端ターミナル１０２において、より少ないノイズ低減またはノイズ消去を適用し得る。他のそのようなアルゴリズムは、かなりのノイズ低減またはノイズ消去が近端ターミナル１０２を越えて実行される、通信経路との使用のために構成されている様々な信号処理アルゴリズムを適用し得る。他のそのようなアルゴリズムは、かなりのノイズ低減またはノイズ消去が、近端ターミナル１０２を越える通信経路１１０の他の所においても実行されない状況と比較して、全体的に異なるタイプのノイズ低減またはノイズ消去、および可能であれば、異なるタイプのボイス拡張も適用し得る。
【００２２】
アクト４０２において、近端ネットワーク１１２および／または遠端ネットワーク１１４がＣＤＭＡネットワークとして決定された場合、例えば、アクト４０６は、ＣＤＭＡネットワークにより適したものに対して、様々なアルゴリズムの適応的修正を含み得る（例、ノイズゲーティング、ビットレート低下に対して調整するために）。アクト４０２において、近端ネットワーク１１２および／または遠端ネットワーク１１４がＧＳＭネットワークとして決定された場合、アクト４０６は、ＧＳＭ干渉アーチファクト（ｉｎｔｅｒｆｅｒｅｎｃｅ  ａｒｔｉｆａｃｔ）（例、ＧＳＭバズ）の適応的除去を含み得る。アクト４０２において、近端および／または遠端ネットワーク識別（ＩＤ）が、一部またはかなりのノイズ低減または消去を示すと知られる、近端ネットワークおよび／または遠端ネットワークに対応する場合、アクト４０６は、かなりのノイズ低減またはノイズ消去が、近端ターミナル１０２を越えて通信経路１１０の他の所においても実行されない状況と比較して、減少した量のノイズ低減またはノイズ消去の適用を含み得る。アクト４０６は、かなりのノイズ低減またはノイズ消去が、近端ターミナル１０２を越えて通信経路１１０の他の所においても実行されない状況と比較して、異なるタイプのノイズ低減またはノイズ消去および／または異なるタイプのボイス拡張の適用を含み得る。
【００２３】
説明されたシステムの所定の実施は、プロセッサが信号を処理するための方法を実行させる、ソフトウェア命令を実行するコンピュータプロセッサを含む。モバイルまたは無線通信装置における１つ以上のプロセッサは、プロセッサにアクセス可能なプログラムメモリにおけるソフトウェア命令を実行することによって、図４の方法４００を実施し得る。プログラム製品は、データプロセッサによって実行された場合、データプロセッサが信号を処理するための方法を実行させる命令を含む、コンピュータ読取可能信号のセットを運ぶ任意の媒体を含み得る。そのようなプログラム製品は、他の装置とインターフェースで接続され得またはスタンドアローン型である。プログラム製品は、フロッピー（登録商標）ディスケット、ハードディスクドライブを含む磁気データストレージ媒体、コンパクトディスク読取専用メモリ（ＣＤＲＯＭ）、デジタルビデオディスク（ＤＶＤ）を含む光データストレージ媒体、ＲＯＭ、フラッシュランダムアクセスメモリ等（フラッシュＲＡＭ）を含む電子データストレージ媒体、のような物理媒体もしくはデジタルまたはアナログ通信リンクのような送信タイプの媒体を含み得る。一部のシステムにおいては、命令は、圧縮および／または符号化され得る。
【００２４】
本発明の様々な実施形態が説明された一方、更なる実施形態および実施が本発明の範囲内にて可能であることが当業者に明らかになるであろう。したがって、本発明は、添付の特許請求の範囲およびその均等物以外において限定されるべきではない。
【図面の簡単な説明】
【００２５】
【図１】近端ターミナルと遠端ターミナルとの間の通信経路を示す。
【図２】近端ターミナルと遠端ターミナルとの間の第２の通信経路を示す。
【図３】近端ターミナルと遠端ターミナルとの間の第３の通信経路を示す。
【図４】遠距離通信経路上において交換される処理信号の方法を示す。
【符号の説明】
【００２６】
１０２  近端ターミナル
１０４  近端コーデック
１０６  遠端ターミナル
１０８  遠端コーデック
１１０  通信経路
１１２  近端ネットワーク
１１４  遠端ネットワーク
２０２  基地局
２０４  携帯電話スイッチングオフィス
【図１】
2007037116.tif 000003
【図２】
2007037116.tif 000004
【図３】
2007037116.tif 000005
【図４】
2007037116.tif 000006